(57)【要約】【課題】音量の変化によって点灯あるいは点滅し、振動板の前面から発光を視認させる方式のスピーカにおいて、振動板の前面部全体を効果的に照らし出すことによって、視覚効果をより一層向上させることができ、しかも構造がきわめて簡単なスピーカを提供する。【解決手段】振動板１１の中心部にボイスコイル・ボビン８の上端部を覆うように配置されるダストキャップ１２の下方に、音量の変化によって点灯あるいは点滅する光源１３を配置し、この光源１３から発せられる光を、ダストキャップ１２の外周縁部から直接的に、またダストキャップ１２の裏面部に設けられたリフレクタ１４を介して間接的に振動板１１の全面に照射するよう構成する。【選択図】　　　　図１
2004007308.tif 000002
【特許請求の範囲】
【請求項１】
音量の変化によって点灯あるいは点滅し、振動板の前面から発光を視認させるものであって、
光源からの光を、振動板全体に、直接的及びリフレクタを介して間接的に照射するよう構成したこと
を特徴とするスピーカ。
【請求項２】
前記光源は、
ボイスコイルの中心軸上を中心に配置したこと
を特徴とする請求項１に記載のスピーカ。
【請求項３】
前記光源は、
振動板の裏面部に配置したこと
を特徴とする請求項１に記載のスピーカ。
【請求項４】
前記光源は、
ダストキャップの前面部に配置したこと
を特徴とする請求項１に記載のスピーカ。
【請求項５】
前記光源は、
振動板の前方に配置されたサブコーンの前面に配置したこと
を特徴とする請求項１に記載のスピーカ。
【請求項６】
前記ボイスコイルの中心軸上を中心に配置される光源は、
振動板の中心部にボイスコイル・ボビンの上端部を覆うように配置されるダストキャップの下方に位置し、このダストキャップの外周縁部から、直接的に、かつ前記ダストキャップの裏面部に設けられたリフレクタを介して間接的に振動板の全面に照射されるよう構成されていること
を特徴とする請求項２に記載のスピーカ。
【請求項７】
前記ボイスコイルの中心軸上を中心に配置される光源は、
振動板の中心部にボイスコイル・ボビンの上端部を覆うように配置されるダストキャップの下方に位置し、このダストキャップの外周縁部から、直接的に、かつ前記ダストキャップの裏面部およびボイスコイル・ボビンの上端部に設けられたリフレクタを介して間接的に振動板の全面に照射されるよう構成されていること
を特徴とする請求項２に記載のスピーカ。
【請求項８】
前記ボイスコイルの中心軸上を中心に配置される光源は、
ボトムヨークを構成するセンターポールの頂面上にリフレクタを介して設けられ、このリフレクタ及び振動板の中心部にボイスコイル・ボビンの上端部を覆うように配置されるダストキャップの裏面に設けられたリフレクタによって、振動板の全面に照射されるよう構成されていること
を特徴とする請求項２に記載のスピーカ。
【請求項９】
前記振動板の裏面部に配置される光源は、
スピーカを構成するフレームに、複数が均等に配置され、各光源の背部に光を振動板に照射するためのリフレクタを設けたこと
を特徴とする請求項３に記載のスピーカ。
【請求項１０】
前記ダクトキャップは、
ボイスコイルの中心軸上に位置し、リフレクタが反射効率のよい材料で形成されていること
を特徴とする請求項４に記載のスピーカ。
【請求項１１】
前記サブコーンは、
振動板の表面側に延出させたボイスコイル・ボビンの上端部に一体的に固着され、反射効率のよい材料で形成されていること
を特徴とする請求項５に記載のスピーカ。
【請求項１２】
前記サブコーンは、
振動板の表面側に延出させたボイスコイル・ボビンの上端部に一体的に固着され、反射効率のよい材料で形成されるとともに、その一部に光源からの光を前記振動板に透過させるための透光部を有すること
を特徴とする請求項５に記載のスピーカ。
【請求項１３】
前記振動板は、
透光性を有するフィルムからなること
を特徴とする請求項３又は９に記載のスピーカ。
【請求項１４】
前記ダストキャップは、
少なくとも外周縁部の全域が透光性であること
を特徴とする請求項１，２，４，６〜８のいずれかに記載のスピーカ。
【請求項１５】
前記スピーカを構成する振動板は、
その表面部が鏡面処理されたものであること
を特徴とする請求項１，２，４，６〜８のいずれかに記載のスピーカ。
【請求項１６】
前記光源は、
発光ダイオードであること
を特徴とする請求項１乃至１５のいずれかに記載のスピーカ。
【発明の詳細な説明】
【０００１】
【発明の属する技術分野】
この発明は、音量の変化によって点灯あるいは点滅するスピーカ、特にゲーム機器に付設することによって、視覚的にも聴取者に刺激を与えることのできるスピーカに関するものである。
【０００２】
【従来の技術】
スピーカへの入力をモニターするために、あるいはスピーカの美観を高め、視覚を刺激することなどを目的として、スピーカに発光体を装着することは、たとえば特開２０００−２６１８７４号公報、同２００１−９５０７４号公報、同２００１−１９７５７９号公報等において提案されている。
【０００３】
前記した公報において、特開２０００−２６１８７４号公報では、ヨークのセンターポールの頂面部に発光ダイオードを、同２００１−９５０７４号公報においては、ボイスコイルの上端部に設けたベースの中心部に光源を、さらに同２００１−１９７５７９号公報は、ヨークのセンターポール内の中心部に発光ダイオードを配置することが開示されている。
【０００４】
【発明が解決しようとする課題】
前記した公報に記載の各スピーカは、いずれも光源から発せられる光を、振動板の中心部に装着したダストキャップ（センターキャップともいう。）を介して外部に導く方式のもので、そのため、特開２０００−２６１８７４号公報では、ダストキャップの所要部位に通孔部を配し、この通孔部を介して前面側から発光を視認させるか、あるいはダストキャップの所要部位にレンズを配置し、残像現象を利用して前面側から光を線で認識させるようにし、同２００１−９５０７４号公報又は同２００１−１９７５７９号公報では、センターキャップの材質を、透明または乳白色としたポリプロピレン等の合成樹脂製とし、その内面に、梨地あるいは凹凸処理などの光拡散処理を施すことによって、光源からの光を拡散する手段が採用されている。
【０００５】
しかしながら、いずれの手段によっても、振動板全体に光を拡散させることはきわめて困難で、振動板全体に光を照射するには、光源を多くするか、光源そのものを大きくする以外に有効な手段はなく、光源を増やし、あるいは大きくすると発熱量も増加するので、放熱のための手段が求められ、センターキャップの材質を透明または乳白色としたポリプロピレン等の合成樹脂製とし、内面に梨地処理あるいは凹凸処理などの光拡散処理を施し、光源からの光を拡散する手段も、スピーカの製造工程を増やすため、製品コストの上昇を招くなど、従来の手段は費用対効果を勘案すると実用的ではない。
【０００６】
この発明はかかる現状に鑑み、音量の変化によって点灯あるいは点滅し、振動板の前面から発光を視認させる方式のスピーカにおいて、振動板の前面部全体を効果的に照らし出すことによって、視覚効果をより一層向上させることができ、しかも構造がきわめて簡単なスピーカを提供せんとするものである。
【０００７】
【課題を解決するための手段】
前記の目的を達成するため、この発明の請求項１に記載の発明は、
音量の変化によって点灯あるいは点滅し、振動板の前面から発光を視認させるものであって、
光源からの光を、振動板全体に、直接的及びリフレクタを介して間接的に照射するよう構成したこと
を特徴とするスピーカである。
【０００８】
また、この発明の請求項２に記載の発明は、
請求項１に記載のスピーカにおいて、
前記光源は、
ボイスコイルの中心軸上を中心に配置したこと
を特徴とするものである。
【０００９】
また、この発明の請求項３に記載の発明は、
請求項１に記載のスピーカにおいて、
前記光源は、
振動板の裏面部に配置したこと
を特徴とするものである。
【００１０】
また、この発明の請求項４に記載の発明は、
請求項１に記載のスピーカにおいて、
前記光源は、
ダストキャップの前面部に配置したこと
を特徴とするものである。
【００１１】
また、この発明の請求項５に記載の発明は、
請求項１に記載のスピーカにおいて、
前記光源は、
振動板の前方に配置されたサブコーンの前面に配置したこと
を特徴とするものである。
【００１２】
また、この発明の請求項６に記載の発明は、
請求項２に記載のスピーカにおいて、
前記ボイスコイルの中心軸上を中心に配置される光源は、
振動板の中心部にボイスコイル・ボビンの上端部を覆うように配置されるダストキャップの下方に位置し、このダストキャップの外周縁部から、直接的に、かつ前記ダストキャップの裏面部に設けられたリフレクタを介して間接的に振動板の全面に照射されるよう構成されていること
を特徴とするものである。
【００１３】
また、この発明の請求項７に記載の発明は、
請求項２に記載のスピーカにおいて、
前記ボイスコイルの中心軸上を中心に配置される光源は、
振動板の中心部にボイスコイル・ボビンの上端部を覆うように配置されるダストキャップの下方に位置し、このダストキャップの外周縁部から、直接的に、かつ前記ダストキャップの裏面部およびボイスコイル・ボビンの上端部に設けられたリフレクタを介して間接的に振動板の全面に照射されるよう構成されていること
を特徴とするものである。
【００１４】
また、この発明の請求項８に記載の発明は、
請求項２に記載のスピーカにおいて、
前記ボイスコイルの中心軸上を中心に配置される光源は、
ボトムヨークを構成するセンターポールの頂面上にリフレクタを介して設けられ、このリフレクタ及び振動板の中心部にボイスコイル・ボビンの上端部を覆うように配置されるダストキャップの裏面に設けられたリフレクタによって、振動板の全面に照射されるよう構成されていること
を特徴とするものである。
【００１５】
また、この発明の請求項９に記載の発明は、
請求項３に記載のスピーカにおいて、
前記振動板の裏面部に配置される光源は、
スピーカを構成するフレームに、複数が均等に配置され、各光源の背部に光を振動板に照射するためのリフレクタを設けたこと
を特徴とするものである。
【００１６】
また、この発明の請求項１０に記載の発明は、
請求項４に記載のスピーカにおいて、
前記ダクトキャップの前面に配置される光源は、
ボイスコイルの中心軸上に位置し、リフレクタが反射効率のよい材料で形成されていること
を特徴とするものである。
【００１７】
また、この発明の請求項１１に記載の発明は、
請求項５に記載のスピーカにおいて、
前記サブコーンは、
振動板の表面側に延出させたボイスコイル・ボビンの上端部に一体的に固着され、反射効率のよい材料で形成されていること
を特徴とするものである。
【００１８】
また、この発明の請求項１２に記載の発明は、
請求項５に記載のスピーカにおいて、
前記サブコーンは、
振動板の表面側に延出させたボイスコイル・ボビンの上端部に一体的に固着され、反射効率のよい材料で形成されるとともに、その一部に光源からの光を前記振動板に透過させるための透光部を有すること
を特徴とするものである。
【００１９】
また、この発明の請求項１３に記載のスピーカは、
請求項３又は９に記載のスピーカにおいて、
前記振動板は、
透光性を有するフィルムからなること
を特徴とするものである。
【００２０】
また、この発明の請求項１４に記載の発明は、
請求項１，２，４，６〜８のいずれかに記載のスピーカにおいて、
前記ダストキャップは、
少なくとも外周縁部の全域が透光性であること
を特徴とするものである。
【００２１】
また、この発明の請求項１５に記載の発明は、
請求項１，２，４，６〜８のいずれかに記載のスピーカにおいて、
前記スピーカを構成する振動板は、
その表面部が鏡面処理されたものであること
を特徴とするものである。
【００２２】
さらに、この発明の請求項１６に記載の発明は、
請求項１乃至１５のいずれかに記載のスピーカにおいて、
前記光源は、
発光ダイオードであること
を特徴とするものである。
【００２３】
【発明の実施の形態】
以下、この発明の好ましい実施の形態を、ゲームセンターなどに設置される各種のゲーム装置の周縁部に付設されるスピーカとして、添付の図面に基づいて詳細に説明する。
【００２４】
図１はこの発明にかかるスピーカの一例を示す縦断面図、図２はこの発明にかかる他のスピーカの縦断面図、図３はさらに他のスピーカの断面図、図４はさらにまた他のスピーカの断面図、図５はさらにまた他のスピーカの断面図である。
【００２５】
図１において、スピーカ１は、ボトムヨーク２、センターポール３、永久磁石からなるマグネット４、プレート５とで構成される磁気回路と、前記プレート５に固着されるフレーム６と、前記磁気回路の磁気ギャップ内にボイスコイル・ボビン７を介して鉛直に保持されたボイスコイル８と、このボイスコイル８を鉛直に保持するダンパ９と、中心部が前記ボイスコイル・ボビン７の上端部外周に、外周部がエッジ１０を介してフレーム６に固着された振動板１１と、この振動板１１の中心部に前記ボイスコイル・ボビン８の上端部を覆うようにして取り付けられたダストキャップ１２とからなるもので、光源１３は、前記ダクトキャップ１２の下方で、かつボイスコイル８の中心軸上に設けられる。
【００２６】
この光源１３については、その種類について特段の制限はないが、発光ダイオード（ＬＥＤ）を使用することが望ましく、使用する個数についても特段の制限はないが、光の３原色である赤、青、緑を１セットとするか、赤、青、緑に発光する１個とすることが好ましく、その電源は、スピーカの入力信号に連動させ、入力信号が大きければ、すなわち、音量が大きいと発光強度が強く、小さな入力信号の場合、すなわち、音量が小さい場合には、発光強度が弱くなって、ある一定以下の入力信号の場合には点灯させないよう制御することで、強く又弱く発光させることができ、点滅も可能とすることができる。
【００２７】
その際、前記ダストキャップ１２の裏面部に光源１３からの光を反射させるリフレクタ１４を、また、ボイスコイル・ボビン８の上端部にもリフレクタ１５を配置するとともに、ダストキャップ１２の外周縁部の全体を透光性とすることによって、光源１３からの光は、光源１３を挟んで配置されたリフレクタ１４，１５で反射され、前記外周縁部から振動板１１の表面に照射され、振動板１１の全面が強く又は弱く照らされて輝き、その輝度が音量と相関し、アミュージング効果を一段と高めることができる。
【００２８】
前記の振動板１１は、ダストキャップ１２の外周縁部から照射された光源１３からの光によって全面が照射されるが、その上面を鏡面処理することによって、照射された光をより一層効果的に周囲に拡散させることができ、アミュージング効果が高まる。
【００２９】
図２に示すこの発明のスピーカ２１は、基本的に図１のスピーカ１と同じ構成からなるもので、同一部材について同一符号を付して説明すると、光源１３は、センターポール３の頂面部に、ボイスコイル７の中心軸上に位置するようリフレクタ１５を介して配置されるもので、光源１３から発せられた光は、直接あるいはリフレクタ１５で反射されて透光性を有するダストキャップ１２の外周縁部から振動板１１の上面に照射され、振動板１１の全面を発光させるが、ダストキャップ１２の裏面部に図１のスピーカ１と同様にリフレクタ１４を取り付けることによって、より効果的に振動板１１を照射することができる。
【００３０】
なお、ダストキャップ１２は、外周縁部以外を半透明に仕上げておけば、ダストキャップ１２の中央部も光らせることができ、ダストキャップ１２の裏面部に装着するリフレクタ１４の取り付け位置やその形状などを工夫することによっても、振動板１１の上面部を効果的に照らすことが可能である。
【００３１】
また、いずれの場合においても、振動板１１の上面部を鏡面処理するものを使用することが好ましいが、鏡面処理に代えて、梨地処理あるいはエンボス処理を施すことによって、光源１３からの光を周囲に拡散させることができる。
【００３２】
さらには、図示しないが、振動板１１自体を透光性のあるフィルムで形成するとともに、ボイスコイル・ボビン８の一部に透孔を形成し、この透孔から漏れ出す光を、リフレクタを使用して振動板１１の裏面に照射することによって、より複雑な光を振動板１１に照射させることが可能となる。
【００３３】
さらに、図３に示されるスピーカ３１は、透光性のフィルムからなる振動板１１の、背面部のフレーム６の所要部位に複数の光源１３，１３・・・を均等に配置し、各光源１３の背面側にそれぞれリフレクタ１６を、光源１３からの光が振動板１１の背面部に効果的に照射されるよう設けたもので、各光源１３から発せられる光は、直接的に、そして各リフレクタ１６によって間接的に、しかも効果的に照射されるので、振動板１１の全面が聴取者に視認される。
【００３４】
図４に示されるスピーカ４１は、振動板１１の中心部にボイスコイル・ボビン８の開口部を覆って設けるダストキャップ１２を、例えば、表面を鏡面処理した合成樹脂シートなど反射効率のよい素材で形成し、このダストキャップ１２の中心部に光源１３を配置したもので、光源１３からの光は、ダストキャップ１２に反射して前方に照射されると同時に、振動板１１の全面にも光源１３からの光が照射され、振動板１１全体が輝くものである。
【００３５】
この場合、ダストキャップ１２を椀状とすることによって、または振動板１１の傾斜度を上げることによって振動板１１への照射度を上げることができる。
【００３６】
さらに、図５に示されるスピーカ５１は、ボイスコイル・ボビン８の上端部を振動板１１の表面部に延出さ、延出したボイスコイル・ボビン８の上端部にサブコーン１７を接着剤によって一体的に固着し、その中心部に光源１３を配置したもので、サブコーン１７を、たとえば表面を鏡面処理して反射効率を向上させた材料で形成するとともに、サブコーン１７の所要の部位に、光源からの光を振動板１１に透過させ、振動板１１の表面を照射させるための透光部１８，１８・・を形成したものである。
【００３７】
したがって、光源１３からの光は、サブコーン１７によって反射され、前方に照射される一方、前記透光部１８，１８から振動板１１の表面にも照射され、振動板１１が照らされると同時に、その光がさらに振動板１１によって前方にも照射され、スピーカ５１の表面部がすべて点滅するものである。
【００３８】
【発明の効果】
この発明のスピーカは、ボイスコイルの中心軸上に、光源を配置し、この光源を、音量の変化によって点灯あるいは点滅させ、光源からの光を、振動板全体に、直接的及びリフレクタを介して間接的に照射し、振動板の前面から発光を視認させるよう構成したので、聴取者に音響以外に、振動板全面を照射する光を視認させることによって、アミュージング効果を高めることができる。
【００３９】
特に、この発明のスピーカは、光源に近接させてリフレクタを配置することによって、光源の光をより確実に振動板の表面に照射させることができるので、光源自体をより小さくすることができるとともに、光源を点灯させる消費電力も少なくて済み、スピーカへの光源の取り付けも容易になるなどスピーカ設計の自由度が向上する。
【図面の簡単な説明】
【図１】この発明にかかるスピーカの一例を示す縦断面図である。
【図２】この発明にかかる他のスピーカの縦断面図である。
【図３】この発明にかかるさらに他のスピーカの縦断面図である。
【図４】この発明にかかるさらにまた他のスピーカの縦断面図である。
【図５】この発明にかかるさらにまた他のスピーカの縦断面図である。
【符号の説明】
１，２１　　　スピーカ
２　　　　　　ボトムヨーク
３　　　　　　センターポール
４　　　　　　マグネット
５　　　　　　プレート
６　　　　　　フレーム
７　　　　　　ボイスコイル
８　　　　　　ボイスコイル・ボビン
１１　　　　　振動板
１２　　　　　ダストキャップ
１３　　　　　光源
１４，１５，１６　　リフレクタ
【図１】
2004007308.tif 000003
【図２】
2004007308.tif 000004
【図３】
2004007308.tif 000005
【図４】
2004007308.tif 000006
【図５】
2004007308.tif 000007